(57)【要約】【課題】省電力動作モード時において少なくとも操作部（操作パネルを含む）側に対する省電力化を向上させることが可能な電子機器の制御装置及び画像形成装置を提供する。【解決手段】電子機器１の制御装置は、通常動作モードと、当該通常動作モードよりも低い消費電力で動作する省電力動作モードとに切り替え可能で、前記省電力動作モード時に操作キーが操作されることで前記通常動作モードに復帰するものであって、通常動作モード時に、操作制御部１５は、操作用電源部１９からの電力供給により信号生成部９及び操作関連部１１を制御し、省電力動作モード時に、メイン制御部１７は、操作用電源部からの電力供給を停止させ、補助供給部を起動させて信号生成部９に通常動作モード時よりも小さい電力を供給し、信号生成部からの操作信号を受信可能とする。【選択図】図４
2011139273.tif 000002
【特許請求の範囲】
【請求項１】
通常動作モードと、当該通常動作モードよりも低い消費電力で動作する省電力動作モードとに切り替え可能で、前記省電力動作モード時に操作キーが操作されることで前記通常動作モードに復帰する電子機器の制御装置であって、
前記操作キーを有する操作部と、
ユーザによる前記操作キーの操作に応じた操作信号を出力する信号生成部と、
前記操作キーによる操作に関連する機能を実行する操作関連部と、
電源部から電力供給され、前記信号生成部及び前記操作関連部を制御する操作制御部と、
前記信号生成部からの前記操作信号に基づき前記電子機器を動作させるよう制御するメイン制御部と、
前記メイン制御部又は前記電源部から前記信号生成部に電力供給させる補助供給部と、を備え、
前記通常動作モード時に、前記操作制御部は、前記電源部からの電力供給により前記信号生成部及び前記操作関連部を制御し、
前記省電力動作モード時に、前記メイン制御部は、前記電源部から前記操作制御部への電力供給を停止させ、前記補助供給部を起動させることで前記信号生成部からの前記操作信号を受信可能とする、電子機器の制御装置。
【請求項２】
請求項１に記載の電子機器の制御装置であって、
前記通常動作モード時に前記メイン制御部から前記操作制御部に制御信号を送信するための通信線を備え、
前記補助供給部は、前記省電力動作モード時に、前記通信線からの前記制御信号を前記信号生成部に受信させ、前記制御信号によって当該信号生成部に電力を供給する構成である、電子機器の制御装置。
【請求項３】
請求項２に記載の電子機器の制御装置であって、
前記通信線は、前記制御信号として、前記操作制御部をリセットするためのリセット信号を送信するためのリセット信号線であり、
前記メイン制御部は、前記リセット信号を出力することにより前記電源部から前記操作制御部への電力供給を停止させる構成である、電子機器の制御装置。
【請求項４】
請求項１から請求項３のいずれか一項に記載の電子機器の制御装置であって、
前記信号生成部は、キーマトリックスであり、
前記補助供給部は、前記省電力動作モード時に、前記キーマトリックスのスキャン列を通電状態にさせる構成である、電子機器の制御装置。
【請求項５】
請求項４に記載の電子機器の制御装置であって、
前記スキャン列のうち一つの前記操作キーに対応するスイッチ素子からの前記操作信号のみ有効化する構成である、電子機器の制御装置。
【請求項６】
請求項１から請求項５のいずれか一項に記載の制御装置と、
前記メイン制御部により制御される画像形成部と、備える画像形成装置。
【発明の詳細な説明】
【技術分野】
【０００１】
本発明は、通常動作モードから省電力動作モードに移行可能な電子機器の制御装置及び画像形成装置に関する。
【背景技術】
【０００２】
従来より、消費電力の節約のために、通常動作モードから、当該通常動作モードよりも小さい消費電力で動作する省電力動作モードに移行可能な画像形成装置が知られている（例えば特許文献１参照）。この画像形成装置は、キー操作可能な操作パネルと、主電源部及び補助電源部とを備え、通常動作モードでは主電源部を起動させて画像形成装置が有する全機能を実行可能とし、省電力動作モードでは主電源部の代わりに補助電源部を起動させ、この補助電源部から操作パネルに電力を供給し、当該操作パネルでキー操作がされたことを条件に通常動作モードに復帰するようになっている。
【先行技術文献】
【特許文献】
【０００３】
【特許文献１】特開２００５−２７５１５５号公報
【発明の概要】
【発明が解決しようとする課題】
【０００４】
ところで、操作パネルには、キー操作機能以外に、例えば表示部が配置されて当該表示部に所定の表示をさせる表示機能などが備えられ多機能化されたものがある。そして、このような多機能化された操作パネルを備える画像形成装置では、それらの操作パネル上の機能をまとめて制御するための操作制御部が、画像形成装置全体を制御するためのメイン制御部とは別に設けられることがある。
【０００５】
ここで、省電力動作モードでは、操作パネル上の機能のうちキー操作機能さえ有効であれば通常動作モードに復帰することができる。しかし、従来、この種の画像形成装置は、通常動作モード時だけでなく省電力動作モード時にも操作制御部に電力を供給するため、当該操作制御部にてキー操作機能以外の機能を実行するための電力まで無駄に消費されてしまうという問題がある。
なお、このような問題は、画像形成装置に限らず、通常動作モードから省電力動作モードへの移行可能で、キー操作により通常動作モードに復帰可能な電子機器であれば同様に生じ得る。
【０００６】
本発明は上記のような事情に基づいて完成されたものであって、その目的は、省電力動作モード時において少なくとも操作部（操作パネルを含む）側に対する省電力化を向上させることが可能な電子機器の制御装置及び画像形成装置を提供するところにある。
【課題を解決するための手段】
【０００７】
上記の目的を達成するための手段として、第１発明に係る電子機器の制御装置は、通常動作モードと、当該通常動作モードよりも低い消費電力で動作する省電力動作モードとに切り替え可能で、前記省電力動作モード時に操作キーが操作されることで前記通常動作モードに復帰する電子機器の制御装置であって、
前記操作キーを有する操作部と、ユーザによる前記操作キーの操作に応じた操作信号を出力する信号生成部と、前記操作キーによる操作に関連する機能を実行する操作関連部と、電源部から電力供給され、前記信号生成部及び前記操作関連部を制御する操作制御部と、前記信号生成部からの前記操作信号に基づき前記電子機器を動作させるよう制御するメイン制御部と、
前記メイン制御部又は前記電源部から前記信号生成部に電力供給させる補助供給部と、を備え、
前記通常動作モード時に、前記操作制御部は、前記電源部からの電力供給により前記信号生成部及び前記操作関連部を制御し、
前記省電力動作モード時に、前記メイン制御部は、前記電源部から前記操作制御部への電力供給を停止させ、前記補助供給部を起動させることで前記信号生成部からの前記操作信号を受信可能とする。
【０００８】
この発明によれば、通常動作モード時には、電源部から操作制御部に電力が供給されるため、当該操作制御部により信号生成部だけでなく操作関連部をも制御可能である。一方、省電力動作モードに移行すると、電源部から操作制御部への電力供給は停止されるが、補助供給部により信号生成部に電力供給される。従って、省電力動作モード時にも操作制御部に電力を供給する従来の構成に比べて、少なくとも操作部側に対する省電力化を向上させることが可能である。
【０００９】
第２の発明は、第１の発明の電子機器の制御装置であって、前記通常動作モード時に前記メイン制御部から前記操作制御部に制御信号を送信するために通信線を備え、前記補助供給部は、前記省電力動作モード時に、前記通信線からの前記制御信号を前記信号生成部に受信させ、前記制御信号レベルによって当該信号生成部に電力を供給する構成である。
【００１０】
この発明によれば、省電力動作モード時には、通常動作モードで使用する通信線を利用して信号生成部への電力供給を行うことができる。従って、専用の電力供給線を設けることなく、操作部側に対する省電力化を向上させることが可能である。
【００１１】
第３の発明は、第２の発明の電子機器の制御装置であって、前記通信線は、前記制御信号として、前記操作制御部をリセットするためのリセット信号を送信するためのリセット信号線であり、前記メイン制御部は、前記リセット信号を出力することにより前記電源部から前記操作制御部への電力供給を停止させる構成である。
【００１２】
この発明によれば、省電力動作モード時には、信号生成部への電力供給の開始と電源部から操作制御部への電力供給の停止とを、共通のリセット信号を利用して実現しつつ、操作部側に対する省電力化を向上させることが可能である。
【００１３】
第４の発明は、第１から第３のいずれか一つの発明の電子機器の制御装置であって、前記信号生成部は、キーマトリックスであり、前記補助供給部は、前記省電力動作モード時に、前記キーマトリックスの一部のスキャン列のみ通電状態にさせる構成である。
【００１４】
この発明によれば、キーマトリックスのスキャン列を通電状態にさせる構成であるから、キーマトリックスの構成を利用することにより簡易な構成で複数の操作キーを通電状態とすることができ、省電力モードからの復帰操作をユーザが行いやすくなる。
【００１５】
第５の発明は、第４の発明の電子機器の制御装置であって、前記スキャン列のうち一つの操作キーに対応するスイッチ素子からの操作信号のみ有効化する構成である。
【００１６】
この発明によれば、複数の操作キーにそれぞれ対応する複数のスイッチ素子からの操作信号を有効化する構成に比べて、操作信号を出力するための構成を簡略化することができる。
【００１７】
第６の発明に係る画像形成装置は、第１から第５のいずれか一つの発明の制御装置と、前記メイン制御部により制御される画像形成部と、備える。
【発明の効果】
【００１８】
本発明によれば、省電力動作モード時において少なくとも操作部（操作パネルを含む）側に対する省電力化を向上させることが可能である。
【図面の簡単な説明】
【００１９】
【図１】本発明の実施形態１に係る複合機の電気的構成を示すブロック図
【図２】制御部の具体的構成を示すブロック図
【図３】信号生成回路の内部構成図
【図４】各モードにおける制御部の動作内容を説明するための図
【図５】実施形態２の信号生成回路の内部構成図
【図６】他の実施形態の信号生成回路の内部構成図
【発明を実施するための形態】
【００２０】
＜実施形態１＞
本発明の実施形態１を図１〜図４を参照しつつ説明する。
１．複合機の電気的構成
図１は、複合機１（電子機器、画像形成装置の一例）の電気的構成を示すブロック図である。複合機１は、コピー機能、スキャン機能やファクシミリ機能など、複数の機能を実行可能であり、複数の機能を並行して実行可能である。また、複合機１は、「通常動作モード」と、当該通常動作モードよりも低い消費電力で動作する「省電力動作モード」とに切り替え可能であり、省電力動作モード時に後述する操作キーが操作されることで通常動作モードに復帰するようになっている。
【００２１】
複合機１は、スキャナ部３、プリンタ部５（画像形成部の一例）、キー操作部７（操作部の一例）、信号生成回路９（信号生成部の一例）、表示部１１、制御部１３、電源回路１９（電源部の一例）及び通信部２１を備える。なお、キー操作部７、信号生成回路９、制御部１３、及び電源回路１９が本発明の「制御装置」の一例である。
【００２２】
スキャナ部３は、図示しない原稿の画像を読み取って、その読み取った画像に応じた読取データを生成する。プリンタ部５は、画像データに基づく画像（モノクロ画像、カラー画像）を、例えば電子写真方式またはインクジェット方式により図示しないシートに印刷する。なお、上記画像データには、スキャナ部３によって生成された読取データや、図示しない外部の装置（例えばパーソナルコンピュータ、ファクシミリ装置、記憶装置など）からの印刷データ（ファクシミリデータを含む）などが含まれる。
【００２３】
キー操作部７は、ユーザが押下操作可能な複数の操作キー（図示せず）を有する。なお、このキー操作部７は、キー入力装置単体のもの（ボタン等）に限らず、表示装置と位置入力装置を組み合わせた装置（タッチパネル）でもよい。信号生成回路９は、ユーザによる上記操作キーに応じた操作信号を出力するものであり、本実施形態ではキーマトリックススキャン方式を採用している。
【００２４】
また、表示部１１は、例えば液晶ディスプレイやランプ等を有し、各種の設定画面や装置の動作状態等を表示することが可能である。そして、キー操作部７及び表示部１１は、複合機１に設けられた操作パネル（図示せず）上に配置されており、表示部１１は、キー操作に関連した表示をするから、本発明の「操作関連部」の一例である。
【００２５】
制御部１３は、操作制御回路１５（操作制御部の一例）及びメイン制御回路１７（メイン制御部の一例）を有する。操作制御回路１５は、操作パネル上の機能（例えば、キー操作機能、表示機能、メイン制御回路１７との間の送受信機能）をまとめて制御する、操作パネル専用の制御回路であり、具体的には、操作制御回路１５は、上記信号生成回路９、表示部１１及び送受信回路３７（図２参照）を制御する。
【００２６】
メイン制御回路１７は、複合機１全体を制御するための制御回路であり、スキャナ部３、プリンタ部５、操作制御回路１５、電源回路１９、通信部２１を制御する。なお、両制御回路１５，１７は、汎用のＣＰＵで構成されたものに限らず、例えばＡＳＩＣ（Application Specific Integrated Circuit）で構成されたものでもよい。
【００２７】
電源回路１９は、操作制御回路１５及びメイン制御回路１７にそれぞれ供給する電力を出力する。また、通信部２１は、図示しない通信回線を介して外部の装置に接続され、当該外部の装置との間で相互のデータ通信を可能にする。
【００２８】
２．制御部の具体的構成
図２は、制御部１３の具体的構成を示すブロック図である。なお、同図では、各回路について一部の構成のみ図示し、それ以外の部分（例えばＣＰＵ，ＲＡＭ，ＲＯＭなど）が省略されていることがある。同図に示すように、制御部１３は、パネル回路基板及びメイン回路基板を有して構成されている。なお、両回路基板はグランドラインに接続されている。
【００２９】
（１）パネル回路基板側の構成
パネル回路基板側には、前述した信号生成回路９、表示部１１及び操作制御回路１５が搭載されている。信号生成回路９は、キーマトリックス３１を備えて構成されている。信号生成回路９の詳細構成は後述する。
【００３０】
操作制御回路１５は、表示インターフェース３３及びキーマトリックスインターフェース３５を有し、また、通常動作モード時においてメイン制御回路１７の送受信回路４７との間で双方向通信を行う送受信回路３７を内蔵している。送受信回路３７は、キー操作に関連してメイン制御回路１７の送受信回路４７との間で双方向通信を行うから、本発明の「操作関連部」の一例である。操作制御回路１５は、表示インターフェース３３を介して表示部１１との間で表示データ等を送受信して当該表示部１１の表示動作を制御する。
【００３１】
また、操作制御回路１５は、キーマトリックスインターフェース３３を介して、キーマトリックス３１に初期化信号等を送信し、当該キーマトリックス３１から上記操作信号を受信して当該キーマトリックス３１を制御する。更に、操作制御回路１５は、リセット信号線Ｗ１（通信線の一例）を介してメイン制御回路１７に接続されており、当該メイン制御回路１７からＲＳＴ信号を受信可能となっている。そして、操作制御回路１５は、ハイレベルのＲＳＴ信号（制御信号、リセット信号の一例）を受けると、キーマトリックス３１に上記初期化信号を送信し、当該キーマトリックス３１を初期状態（どの操作キーも押下されていない状態）に復帰させる。本実施形態では、リセット信号線Ｗ１は途中で分岐して信号生成回路９にも接続されており、ＲＳＴ信号は、操作制御回路１５だけでなく、信号生成回路９にも送信されるようになっている。
【００３２】
（２）メイン回路基板側の構成
メイン回路基板側には、前述したメイン制御回路１７と共に、スイッチ回路４１が搭載されている。メイン制御回路１７は、ＣＰＵ４３、割込回路４５及び送受信回路４７を有する。ＣＰＵ４３は、図示しないＲＯＭから読み出したプログラム（複合機１の各種の動作を実行するためのプログラム）に従って、その処理結果を図示しないＲＡＭに記憶させながら複合機１内の各部（操作制御回路１５を含む）の制御を行う。
【００３３】
送受信回路４７は、例えば受信線Ｗ２及び送信線Ｗ３を介してパネル回路基板側の送受信回路３７と接続されており、これにより、通常動作モード時において操作制御回路１５とメイン制御回路１７との間で双方向通信が可能になっている。具体的には、メイン制御回路１７は、操作制御回路１５からのＲＸＤ信号（操作信号を含む）を、受信線Ｗ２を介して受信する一方で、ＴＸＤ信号（初期設定情報や表示制御情報などを含む）を、送信線Ｗ３を介して操作制御回路１５に送信する。
【００３４】
本実施形態では、上記受信線Ｗ２は、送受信回路３７から信号生成回路９を経由して送受信回路４７に接続されている。このため、通常動作モード時には、操作制御回路１５からの操作信号は、信号生成回路９を経由してメイン制御回路１７にて受信される。また、受信線Ｗ２は途中で分岐して割込回路４５にも接続されており、割込回路４５は、上記操作信号を受けたときにＣＰＵ４３に割込信号を出力する。また、送信線Ｗ３は途中で分岐して信号生成回路９にも接続されており、送受信回路４７からのＴＸＤ信号は、送受信回路３７だけでなく、信号生成回路９にも送信される。
【００３５】
スイッチ回路４１は、電源回路１９から操作制御回路１５への電力供給を入り切りする。具体的には、スイッチ回路４１は、例えばトランジスタなどのスイッチ素子４１Ａを有し、このスイッチ素子４１Ａが電源回路１９（図２では「ＶＤＤ」と図示）と、パネル回路基板側の電力供給端子３９との間に接続されている。
【００３６】
そして、スイッチ素子４１Ａは、その制御入力端子にローレベルのＲＳＴ信号を受けているときにオン状態となり、電源回路１９（ＶＤＤ）から電力供給端子３９を介して操作制御回路１５に電力供給（例えば３．３［ｖ］、１００［ｍＡ］）され、これにより操作制御回路１５は、操作パネル上の各機能に対する制御を実行することが可能になる。一方、スイッチ素子４１Ａは、制御入力端子にハイレベルのＲＳＴ信号（リセット信号）を受けるとオフ状態となり、電源回路１９から操作制御回路１５への電力供給が停止され、これにより操作制御回路１５は操作パネル上の各機能に対する制御を実行することが不能になる。
【００３７】
（３）信号生成回路の構成
図３は、信号生成回路９の内部構成図である。前述したように、信号生成回路９は、キーマトリックス３１を有し、キーマトリックススキャン方式によりキー操作に対する操作信号を出力する構成になっている。具体的には、キーマトリックス３１は、図３に示すように、複数のスキャン列（同図の紙面縦方向の列）を有し、各スキャン列には、キー操作部７の各操作キーに対応して設けられた複数のスイッチ素子５１が配列されている。
【００３８】
同じスキャン列に属するスイッチ素子５１同士は、その一端が操作制御回路１５の複数の出力端子ＯＵＴ１〜ＯＵＴｎの１つに共通接続されている。一方、各スキャン列において同一順位のスイッチ素子５１同士は、その他端が操作制御回路１５の複数の入力端子ＩＮ１〜ＩＮｍの１つに共通接続されると共に、抵抗５３を介して所定の基準電位ライン（本実施形態ではグランドライン）に共通接続されている。
【００３９】
各スイッチ素子５１は、それに対応する操作キーが押下されることでオフ状態（開状態）からオン状態（閉状態）に切り替わり、これに応じて操作信号（本実施形態ではハイレベル信号）が、当該スイッチ素子５１の他端に接続された入力信号ＩＮに与えられる。操作制御回路１５は、通常動作モード時には、上記複数のスキャン列を時分割でスキャンしてキー操作部７の押下状態を検知する。
【００４０】
具体的には、操作制御回路１５は、複数の出力端子ＯＵＴ１〜ＯＵＴｎからハイレベル信号を時分割で出力し、その各出力タイミングに同期して、複数の入力端子ＩＮ１〜ＩＮｍの信号レベルを検知する（以下、この動作を「スキャン動作」という）。そして、操作制御回路１５は、このスキャン動作を全スキャン列について一通り行うことにより、キー操作部７の各操作キーの押下状態を検知することができる。このようなキーマトリックススキャン方式であれば、操作制御回路１５とキーマトリックス３１との間の信号線の本数を、キー操作部７の操作キーの数よりも格段に少なくすることができる。
【００４１】
更に、信号生成回路９は、スイッチ回路５５及びＯＲ回路５７を有する。スイッチ回路５５は、電源回路１９からキーマトリックス３１への電力供給を入り切りする。具体的には、スイッチ回路５５は、例えばトランジスタなどのスイッチ素子５５Ａを有し、このスイッチ素子５５Ａの入力側が上記リセット信号線Ｗ１に接続され、出力側が上記複数の出力端子ＯＵＴ１〜ＯＵＴｎの１つ（本実施形態では出力端子ＯＵＴｎ）に接続され、制御入力端子が上記送信線Ｗ３に接続されている。
【００４２】
そして、このスイッチ素子５５Ａは、その制御入力端子にハイレベルのＴＸＤ信号を受けているときはオフ状態である。一方、このスイッチ素子５５Ａは、制御入力端子にローレベルのＴＸＤ信号を受けるとオン状態となるため、キーマトリックス３１（より具体的には、出力端子ＯＵＴｎに接続されたスキャン列のみ  図３の一点鎖線で囲んだスキャン列  以下、「有効スキャン列」ということがある）に、メイン制御回路１７からリセット信号線Ｗ１を介して、ＲＳＴ信号のハイレベル相当の電力（例えば３．３［ｖ］、１０［ｍＡ］）を供給することが可能になる。これにより、信号生成回路９は、有効スキャン列に属する各スイッチ素子５１のオンオフ状態の切り替わりに応じた操作信号を出力することが可能になる。
【００４３】
ＯＲ回路５７は、その入力側が全ての入力端子ＩＮ１〜ＩＮｍに接続されており、有効スキャン列に属する全てのスイッチ素子５１から操作信号を受信することが可能になっている。また、ＯＲ回路５７は、その出力側が上記受信線Ｗ２の途中に接続されており、当該ＯＲ回路５７の出力信号を、ＲＸＤ信号としてメイン制御回路１７に送信することが可能になっている。また、このＯＲ回路５７は、リセット信号線Ｗ１に接続されており、ＲＳＴ信号がハイレベルのときにそのレベル相当の電力が供給されることにより通電状態となって上記出力信号を出力可能になる一方、ＲＳＴ信号がローレベルのときには停止状態（非通電状態）となり上記出力信号を出力不能になる。
【００４４】
（４）制御部の動作
図４は、各モードにおける制御部１３の動作内容を説明するための図である。
【００４５】
（４−１）通常動作モード時
通常動作モード時では、メイン制御回路１７は、通常、ローレベルのＲＳＴ信号を出力しており、操作制御回路１５は、電源回路１９からの電力供給により通電状態になっている。このため、操作制御回路１５は、信号生成回路９及び表示部１１の制御を行いつつ、送受信回路３７によりメイン制御回路１７との間で通信データ（ＲＸＤ信号、ＴＸＤ信号）の双方向通信を実行することができる。
【００４６】
なお、例えばユーザがキー操作部７にてリセット（クリア）操作をしたときなどには、メイン制御回路１７はハイレベルのＲＳＴ信号を一時的に出力する。これにより、操作制御回路１５は信号生成回路９や表示部１１等に関する設定情報を初期化したリセット状態になる。
【００４７】
また、通常動作モード時では、ＲＳＴ信号がローレベルであるため、リセット信号線Ｗ１から有効スキャン列への電力供給はほぼゼロであり、また、ＯＲ回路５７は停止状態である。従って、有効スキャン列からの操作信号は、他のスキャン列からの操作信号と同様、操作制御回路１５の送受信回路３７及び送受信線Ｗ２、Ｗ３を介してメイン制御回路１７に送信される。
【００４８】
（４−２）省電力動作モードへの切り替え時
例えば所定時間だけ、キー操作部７のキー操作がされていなかったり外部の機器から印刷データを受信しなかったりしたときなど、所定の省電力切り替え条件を満たしたときには、メイン制御回路１７は、通常動作モードから省電力動作モードに切り替える。具体的には、メイン制御回路１７は、例えば電源回路１９から自己に対する電力供給量を減少させて特定の機能（例えば送受信回路４７や通信部２１に関する機能）だけ有効化させる。即ち、メイン制御回路１７自身も消費電力を抑制する省電力状態になる。
【００４９】
また、メイン制御回路１７は、ＲＳＴ信号をローレベルからハイレベルに切り替える。これにより、操作制御回路１５は、電源回路１９からの電力供給が停止され、非通電状態になる。従って、キーマトリックス３１の各スキャン列は、操作制御回路１５からの電力供給が停止される。一方、信号生成回路９のキーマトリックス３１（スイッチ回路５５及びＯＲ回路５７）は、メイン制御回路１７からリセット信号線Ｗ１を介して電力供給が開始されて通電状態になる。従って、メイン制御回路１７中のＲＳＴ信号出力回路部分（バッファなど）、リセット信号線Ｗ１及びスイッチ回路５５は本発明の「補助供給部」を構成する。
【００５０】
更に、メイン制御回路１７は、送信線Ｗ３からの通信データの送信を停止し、ＴＸＤ信号をローレベルに維持する。これにより、スイッチ回路５５のスイッチ素子５５Ａがオン動作して有効スキャン列のみ電力供給がされて通電状態になる。このため、ユーザが有効スキャン列に対応する操作キーを押下すると、それに応じた操作信号が、受信線Ｗ２を介してメイン制御回路１７に送信される。
【００５１】
（４−３）省電力動作モード時
省電力動作モード時では、メイン制御回路１７（ＣＰＵ４３）は、割込回路４５からの割込信号の待ち状態になる。なお、この省電力動作モード時において、ＴＸＤ信号を常にローレベルに維持する構成以外に、例えばＴＸＤ信号のハイローレベルを適宜反転させてスイッチ素子５５Ａをオンオフ制御することにより、リセット信号線Ｗ１からの電力供給量が所定量になるように電力制御（例えばパルス幅変調（ＰＷＭ）制御）を行う構成でもよい。
【００５２】
（４−４）通常動作モードへの切り替え時
省電力動作モード中に、ユーザが有効スキャン列に対応する操作キーを押下すると、ＯＲ回路５７からの出力信号が割込回路４５に送信され、割込回路４５からの割込信号がＣＰＵ４３に与えられる。これにより、メイン制御回路１７は、省電力動作モードから通常動作モードに切り替える。具体的には、メイン制御回路１７は、例えば電源回路１９から自己に対する電力供給量を増大させて全機能を有効化させる。
【００５３】
また、メイン制御回路１７は、ＲＳＴ信号をハイレベルからローレベルに切り替える。これにより、操作制御回路１５は、電源回路１９からの電力供給が再開され、通電状態に復帰する。また、メイン制御回路１７からリセット信号線Ｗ１を介してキーマトリックス３１に電力供給されることが停止される。また、ＯＲ回路５７は停止状態に戻る。そして、操作制御回路１５は、信号生成回路９及び表示部１１の制御を行いつつ、送受信回路３７によりメイン制御回路１７との間で双方向通信を再開する。
【００５４】
３．本実施形態の効果
本実施形態によれば、通常動作モード時には、電源回路１９から操作制御回路１５に電力が供給されるため、当該操作制御回路１５により信号生成回路９だけでなく表示部１１や送受信回路３７をも制御可能であり、その分だけ消費電力は大きい。一方、省電力動作モードに移行すると、電源回路１９から操作制御回路１５への電力供給は停止されるが、メイン制御回路１７からリセット信号線Ｗ１を介して信号生成回路９に直接電力が供給される。パネル回路基板側のうち信号生成回路９だけに電力が供給されるので、通常動作モード時よりも消費電力は小さい。従って、省電力動作モード時にも操作制御回路１５に電力を供給する従来の構成に比べて、少なくともパネル回路基板側における省電力化を向上させることが可能である。
【００５５】
しかも、省電力動作モード時には、通常動作モードで使用する通信線（リセット信号線Ｗ１）を利用して信号生成回路９への電力供給を行うことができる。従って、専用の電力供給線を設けることなく、パネル回路基板側における省電力化を向上させることが可能である。
【００５６】
更に、省電力動作モード時には、操作制御回路１５への電力供給の停止と、信号生成回路９への電力供給の開始とを、共通のリセット信号を利用して実現しつつ、パネル回路基板側における省電力化を向上させることが可能である。
【００５７】
また、省電力動作モード時では、キーマトリックス３１のうち一のスキャン列のみ通電状態とするから、全スキャン列を通電状態とする構成に比べて、更にパネル回路基板側における省電力化を向上させることが可能である。
【００５８】
さらに、省電力動作モード時、キーマトリックス３１のスキャン列を通電状態にさせる構成であるから、キーマトリックス３１の構成を利用することにより簡易な構成で複数のスイッチ素子５１を通電状態とすることができ、省電力モードから通常動作モードへの復帰操作をユーザが行いやすくなる。
【００５９】
＜実施形態２＞
図５は実施形態２を示す。前記実施形態との相違は、省電力動作モード時に有効にするスイッチ素子５１の範囲にあり、その他の点は前記実施形態１と同様である。従って、実施形態１と同一符号を付して重複する説明を省略し、異なるところのみを次に説明する。
【００６０】
上記実施形態１では、省電力動作モード時に一のスキャン列に属する全てのスイッチ素子５１からの操作信号を有効化した。これに対して、本実施形態では、一のスキャン列に属する１つのスイッチ素子５１からの操作信号のみ有効化する。
【００６１】
具体的には、図５に示すように、本実施形態では、図３におけるＯＲ回路５７の代わりにスイッチ回路６１が設けられている。このスイッチ回路６１は、スイッチ素子６１Ａを有し、このスイッチ素子６１Ａは、その入力側がリセット信号線Ｗ１に接続され、出力側が受信線Ｗ２に接続され、その制御入力端子が、複数の入力端子ＩＮ１〜ＩＮｍの１つ（本実施形態では入力端子ＩＮｍ）に接続されている。
【００６２】
このような構成であれば、省電力動作モード時では、キーマトリックス３１のうち１つのスイッチ素子５１（図５において一点鎖線で囲んだもの）の操作信号のみを有効化してメイン制御回路１７に送信することができる。これにより、複数の操作キーにそれぞれ対応する複数のスイッチ素子５１からの操作信号を有効化する構成に比べて、操作信号を出力するための構成を簡略化することができる。具体的には、図３に示すＯＲ回路５７を省略することができる。
【００６３】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
（１）上記実施形態では、複合機１を例に挙げて説明したが、本発明を適用可能な「電子機器」はこれに限られない。例えば印刷装置単体、スキャナ装置単位、ファクシミリ装置単体、ミシン装置などでもよい。要するに、「通常動作モードと省電力動作モードとに切り替え可能で、省電力動作モード時に操作キーが操作されることで通常動作モードに復帰する電子機器」であればよい。
【００６４】
（２）上記実施形態では、キー操作部７、信号生成回路９、制御部１３、及び電源回路１９を含んで「制御装置」とし、複合機１に内蔵または一体的に設けられた構成であったが、本発明の「制御装置」はこれに限られない。制御装置の一部（例えばキー操作部７、信号生成回路９及び表示部１１）または全部が複合機１とは別体として設けられ、両者が上記通信線Ｗ１〜Ｗ３で接続された構成でもよい。
【００６５】
（３）上記実施形態では、キーマトリックススキャン方式を採用した信号生成回路９を例に挙げたが、本発明の「信号生成部」はこれに限られない。例えば、各操作キーごとに１本ずつ操作信号の送信線が設けた構成でもよい。また、信号生成回路９内に送信回路を内蔵させて、通常動作モード時も信号生成回路９から直接、メイン制御回路１７に操作信号を出力する構成でもよい。この場合、送受信回路３７は受信回路に置き換えることができ、また、送受信回路３７，４７同士を接続する送信線Ｗ３を省略することができる。
【００６６】
（４）上記実施形態では、操作制御回路１５の制御対象として、信号生成回路９以外に、表示部１１及び送受信回路３７を例に挙げて説明したが、本発明の「操作関連部」はこれに限られない。要するに、操作キーによる操作に関連する機能を実行するものであればよく、例えば発音装置（ブザーなど）などでもよい。また、操作制御部の制御対象としては、信号生成部以外に、操作関連部の一例であるものを少なくとも１つ含めばよい。
【００６７】
（５）上記実施形態では、通常動作モード時に、操作制御回路１５及びメイン制御回路１７に対して共通の電源回路１９から電力供給をしたが、本発明はこれに限られない。操作制御回路１５及びメイン制御回路１７それぞれに対して専用の電源回路を設けてよい。例えば複合機１に主電源回路（メイン電源部の一例）と補助電源回路（供給電力が主電源回路よりも小さい電源回路  操作用電源部の一例）とを設けて、メイン制御回路１７に主電源回路から電力供給し、操作制御回路１５に補助電源回路から電力供給する構成でもよい。
【００６８】
（６）上記実施形態では、リセット信号線Ｗ１を介して信号生成回路９に電力供給する構成であったが、本発明の「補助供給部」はこれに限られない。リセット信号線Ｗ１以外の通信線（例えば送信線Ｗ３）を介して電力供給する構成でもよい。更には、通信線に限らず、電源回路１９から信号生成回路９に接続される専用の電力供給線を設けて、この電力供給線を介して電力供給する構成でもよい。
【００６９】
（７）上記実施形態では、省電力動作モード時に、メイン制御回路１７自身も省電力状態になったが、本発明はこれに限らず、メイン制御回路１７は通常動作モード時と同じ電力供給状態を維持する構成でもよい。このような構成でも、少なくともパネル回路基板側の省電力化を図ることができる。
【００７０】
（８）上記実施形態１では、省電力動作モード時に一のスキャン列に属する全てのスイッチ素子５１からの操作信号を有効化したが、本発明はこれに限られない。例えば２列、３列など、複数のスキャン列を有効化してもよい。また、上記実施形態２では、一スキャン列のうち１つのスイッチ素子５１からの操作信号のみを有効化したが、例えば２個、３個など、複数のスイッチ素子５１からの操作信号を有効化してもよい。
【００７１】
（９）上記実施形態では、省電力動作モード時にキーマトリックス３１に対応する操作キーを押下することで通常動作モードに復帰する構成であったが、本発明はこれに限られない。図６に示すように、キーマトリックス３１とは別の単独のスイッチ素子６３に対応する操作キーを押下することで通常動作モードに復帰する構成でもよい。
【符号の説明】
【００７２】
１...複合機
５...プリンタ部
７...キー操作部
９...信号生成回路
１１...表示部
１５...操作制御回路
１７...メイン制御回路
１９...電源回路
３１...キーマトリックス
５５...スイッチ回路
Ｗ１...リセット信号線
【図１】
2011139273.tif 000003
【図２】
2011139273.tif 000004
【図３】
2011139273.tif 000005
【図４】
2011139273.tif 000006
【図５】
2011139273.tif 000007
【図６】
2011139273.tif 000008